(57)【要約】【課題】食品の鮮度保持が長時間もしくは長期間にわたって確保することができ、経済的効果を著しくアップできるフィルム製食品用鮮度保持袋及びラップを提供する。【解決手段】ポリエチレン又はポリエステル又はポリプロピレンの原料樹脂の単体に、所定量のトルマリン粉末を混合し加工処理を施して薄いシート状のフィルムにすると共に、前記フィルムを加工処理を施して所定の形状の鮮度保持用袋に形成もしくは前記フィルムを加工処理して鮮度保持用ラップとした。【選択図】　　　　図１
2004051191.tif 000002
【特許請求の範囲】
【請求項１】
ポリエチレン又はポリエステル又はポリプロピレンの原料樹脂の単体に、所定量のトルマリン粉末を混合し加工処理を施して薄いシート状のフィルムにすると共に、前記フィルムを加工処理を施して所定の形状の鮮度保持用袋に形成もしくは前記フィルムを加工処理して鮮度保持用ラップとすることを特徴とするフィルム製食品用鮮度保持袋及びラップ。
【請求項２】
前記トルマリン粉末を５％とすることを特徴とする請求項１記載のフィルム製食品用鮮度保持袋及びラップ。
【請求項３】
前記トルマリン粉末を５％前後とすることを特徴とする請求項１又は請求項２記載のフィルム製食品用鮮度保持袋及びラップ。
【発明の詳細な説明】
【０００１】
【発明の属する技術分野】
本発明は、食品の鮮度保持が長時間もしくは長期間にわたって確保することができると共に、経済的効果を著しくアップできるフィルム製食品用鮮度保持袋及びラップの分野に関するものである。
【０００２】
【従来の技術】
従来のポリエチレン等の樹脂原料を加工処理して食品等を収納せしめる食品収納袋もしくは食品を包装せしめるラップ用フィルムがあった。
【０００３】
前記原料樹脂製収納袋等は、この袋内に野菜類、果実類、生鮮食料品等を収納し保管していても、被収納物が短時間もしくは短期間で腐敗もしくは腐食することが応々にしてあった。
【０００４】
【発明が解決しようとする課題】
本発明の鮮度保持用袋及びラップは、ポリエチレン等の原料樹脂内に所定のトルマリン粉末を均一に混合せしめてフィルム状に製造し、さらにこのフィルムを前記の袋又はラップに形成し、前記袋内に食品、野菜等を収納したり、あるいはラップとして包装したとき、前記フィルムに内蔵しているトルマリンの特性（マイナスイオン及び遠赤外線を発生せしめる）を利用して、前記被収納物である食品及び野菜、果実等の内部に含有している水分を活性浄化して鮮度を保持せしめると共に、劣化酸敗を防止し、さらに発生する遠赤外線によって加熱調理した被収納物である食品類の保温を長時間確保せしめたものである。
【０００５】
【課題を解決するための手段】
請求項１記載の発明は、ポリエチレン又はポリエステル又はポリプロピレンの原料樹脂の単体に、所定量のトルマリン粉末を混合し加工処理を施して薄いシート状のフィルムにすると共に、前記フィルムを加工処理を施して所定の形状の鮮度保持用袋に形成もしくは前記フィルムを加工処理して鮮度保持用ラップとすることを特徴とするフィルム製食品用鮮度保持袋及びラップである。
【０００６】
請求項２記載の発明は、前記トルマリン粉末を５％とすることを特徴とする請求項１記載のフィルム製食品用鮮度保持袋及びラップである。
【０００７】
請求項３記載の発明は、前記トルマリン粉末を５％前後とすることを特徴とする請求項１又は請求項２記載のフィルム製食品用鮮度保持袋及びラップである。
【０００８】
【発明の実施の形態】
請求項１〜３に記載の発明に関する実施の形態は共通しているので、以下のとおり一括して説明する。
【０００９】
上記発明は、従来実施されてきたポリエチレン、ポリエステル、ポリプロピレン等の原料樹脂の単体のみからなるフィルムを加工して形成するものではなく、前記の原料樹脂の単体に、本発明の要部であるトルマリン粉末を所定量均一に混合し、フィルム状に加工処理し、これを袋及びラップとして形成するものである。
【００１０】
さらに本発明は、トルマリン粉末を所定量前記単体の原料樹脂に均一に混合させるが、前記原料樹脂との混合割合は、５％もしくは５％前後を適量としている。
【００１１】
前記のような割合のトルマリン粉末を混合することによって、シート状のフィルムの感触は従来のものと何ら変わらない。
【００１２】
従って、前記袋１内に野菜類のものを封入しても、がさつくようなことがない。
【００１３】
さらに物を包装するラップ２としての使用時においても、がさつくこともない。手指に対する感触は良好である。
【００１４】
本発明の要部は、前記したとおり、トルマリンを微粒子状の粉末に加工したものを使用するが、このトルマリンの特性は、微弱な電流を発し、さらにマイナスイオン及び遠赤外線を発生するものである。
【００１５】
そして前記マイナスイオンの発生の効果は、被収納物の含有成分の水を活性化して浄化せしめる。このように含有水分を活性化することによって、被収納物の鮮度を長時間もしくは長期間保持し、さらに劣化酸敗をも防止する。
【００１６】
さらに前記トルマリンが発する遠赤外線によって、袋に封入された加熱調理がなされた被収納物は、長時間保温される。
【００１７】
また本発明の袋１及びラップ２の基礎素材のフィルムの内部に、前記トルマリン粉末が均一に混合され形成されたフィルムには、前記トルマリン粉末が均一に含浸されている。従って前記フィルムを加工処理して形成された前記袋１内に収納された食品類の例えば野菜の場合、この野菜の外周全体に前記したマイナスイオンや遠赤外線が放射され、野菜等の内部に浸透し、前記したマイナスイオン等のすぐれた効果が発揮される。３はキュウリである。
【００１８】
本件発明の前記袋１と、前記トルマリン粉末を含有しないＰＰ製の袋に、夫々同じ野菜の「チンゲンサイ」を封入して、冷蔵庫を使用することなく、クーラーもない室内に、５日間放置する実験をしたところ、下記の結果が得られた。
【００１９】
（１）トルマリン粉末が含有する本発明の袋に収納したチンゲンサイは、封入時とほぼ同じみずみずしさが確保できた。
【００２０】
（２）しかるに前記（１）とは別個にトルマリン粉末が含有していないＰＰ製袋に収納したチンゲンサイは、しおれて葉っぱは縮み、茎の部分は、痛んで腐り始めていた。
【００２１】
前記のように、簡単なテストだけでも、前記トルマリン粉末の含有の有無による著しい差異があることが判明した。
【００２２】
また本発明において、前記原料樹脂に対する前記トルマリン粉末を均一に混合したり、あるいはフィルム状に形成するための加工手段は、従来公知の手段を採用する。
【００２３】
【発明の効果】
請求項１記載の発明はポリエチレン又はポリエステル又はポリプロピレンの原料樹脂の単体に、所定量のトルマリン粉末を混合し加工処理を施して薄いシート状のフィルムにすると共に、前記フィルムを加工処理を施して所定の形状の鮮度保持用袋に形成もしくは前記フィルムを加工処理して鮮度保持用ラップとするフィルム製食品用鮮度保持袋及びラップなので、前記袋に封入された野菜、生鮮食料品、果実類等は、前記トルマリンの特性であるマイナスイオンや遠赤外線によって、前記トルマリンが含有していない従来型の袋と全く異なり、被収納物の鮮度等を被収納時と変ることなく、長時間又は長期間確保できる利点を有している。
【００２４】
請求項２記載の発明は前記トルマリン粉末を５％とするフィルム製食品用鮮度保持袋及びラップなので、請求項１記載の発明と同じ効果を有している。
【００２５】
請求項３記載の発明は前記トルマリン粉末を５％前後とするフィルム製食品用鮮度保持袋及びラップなので、請求項１記載の発明と同じ効果を有している。
【図面の簡単な説明】
【図１】本発明のフィルム製食品用鮮度保持袋及びラップの袋に野菜であるキュウリを封入した状態の斜視図である。
【図２】同ラップの斜視図である。
【符号の説明】
１　　　袋
２　　　ラップ
３　　　キュウリ
【図１】
2004051191.tif 000003
【図２】
2004051191.tif 000004